(57)【要約】【課題】ループレック方式（新規に映像データを記録する際に映像データの総記録時間が所定時間を超えると予想される場合に、記録時刻の古い映像データを削除した後で新規に映像データを記録する方式）による記録状態の容易な確認を可能とする映像記録装置を提供する。【解決手段】映像記録装置は、記録媒体（１０５）と、ループレック方式により映像データを記録媒体に記録する記録手段（１０２）と、記録媒体における映像データの記録状態を示す記録状態画像を生成する画像生成手段（１０６）とを備える。記録状態画像は、所定時間毎の映像データから生成され、元の映像データの記録時刻に対応する所定の位置に配置されたサムネール画像と、現在時刻に対応する位置に配置された、先頭を示す表示とを含む。【選択図】図１
2008306572.tif 000002
【特許請求の範囲】
【請求項１】
所定時間分の映像データを格納可能な記録媒体と、
前記記録媒体に新規に映像データを記録する際に、記録後の映像データの総記録時間が前記所定時間を超えると予想される場合に、記録時刻の古い映像データを削除した後で新規に映像データを記録するループレック方式により映像データを記録する記録手段と、
前記記録媒体における映像データの記録状態を示す記録状態画像を生成する画像生成手段とを備え、
前記記録状態画像は、
所定時間毎の映像データのフレームから生成され、元の映像データの記録時刻に対応する所定の位置に配置されたサムネール画像と、
現在時刻に対応する位置に配置された、先頭を示す表示とを含む、
ことを特徴とする映像記録装置。
【請求項２】
前記記録状態画像は、前記記録媒体に記録される映像データの記録開始時刻からの経過時間に対応した長さを有し、前記先頭を示す表示を含む経過時間表示を有し、
前記経過時間表示上の所定の位置に前記サムネール画像が配置される、
ことを特徴とする請求項１記載の映像記録装置。
【請求項３】
前記記録状態画像において環状にサムネール画像が配置されることを特徴とする請求項１記載の映像記録装置。
【請求項４】
前記記録状態画像において螺旋状にサムネール画像を配置されることを特徴とする請求項１記載の映像記録装置。
【請求項５】
前記記録状態画像において直線上にサムネール画像を配置されることを特徴とする請求項１記載の映像記録装置。
【請求項６】
さらに、前記サムネール画像の表示方法を設定する表示設定手段を備え、
前記画像生成手段は、前記表示設定手段に設定された情報に基づき、前記サムネール画像の特性を、サムネール画像に対応する元の映像の記録時刻に応じて変化させる、ことを特徴とする請求項１記載の映像記録装置。
【請求項７】
前記画像生成手段は、を、サムネール画像に対応する元の映像の記録時刻が古いほど、サムネール画像の視覚的特性が劣化するようにサムネール画像の特性を変化させることを特徴とする請求項６記載の映像記録装置。
【請求項８】
前記サムネール画像の特性は、サムネール画像のサイズであることを特徴とする請求項６記載の映像記録装置
【請求項９】
前記サムネール画像の特性は、サムネール画像の解像度であることを特徴とする請求項６記載の映像記録装置。
【請求項１０】
前記サムネール画像の特性は、サムネール画像の輝度であることを特徴とする請求項６記載の映像記録装置。
【発明の詳細な説明】
【技術分野】
【０００１】
本発明は、映像を記録する映像記録装置に関し、特に、記録媒体上での映像データの記録状態を視覚的に表す技術に関する。
【背景技術】
【０００２】
防犯等のために使用される監視カメラは、テープ、ＨＤＤなどの記録媒体に監視対象の映像を記録する。通常、監視カメラは２４時間動作し、映像を記録することから、記録媒体の容量が問題となる。従来、監視カメラの撮影において、記録媒体の残容量が枯渇してきた場合、撮影時刻の古い映像から順次映像を上書きすることで撮影を継続させる方法がある。このような記録方法を「ループレック」という。また、特許文献１には、上書きではなく、撮影時刻の古い映像から順次低解像度映像に変換することで残容量を増加させ、撮影を継続させる方法が開示されている。また、撮影中にネットワークで映像を転送して、より大容量の記録媒体へ記録する方法なども提案されている。
【０００３】
ところで、記録された映像の確認の方法として、特許文献２に開示されているような「追っかけ再生」と呼ばれる手法がある。追っかけ再生とは、映像を記録しながら同時に、記録済みの映像を再生する方法であり、これにより撮影動作中に撮影済みの映像が確認できるようになる。
【特許文献１】特開平１１−６７７７０号公報
【特許文献２】特開２００５−３０２１０３号公報
【発明の開示】
【発明が解決しようとする課題】
【０００４】
従来、ループレック動作中に容易に映像の確認方法を行えるようなものはなく、現状、早送り、巻き戻しなどの非効率な操作での映像確認に頼らざるを得ないという課題がある。また、撮影時刻の古いものから順に削除する場合に、どのような映像が削除されようとしているのかを簡単に確認できる方法も要望される。
【０００５】
本発明は上記課題を解決すべくなされたものであり、その目的とするところは、記録媒体におけるループレックによる記録状態の容易な確認を可能とする映像記録装置を提供することにある。
【課題を解決するための手段】
【０００６】
本発明に係る映像記録装置は、ループレック方式により映像データを記録する記録装置である。ループレック方式とは、新規に映像データを記録する際に映像データの総記録時間が所定時間を超えると予想される場合に、記録時刻の古い映像データを削除した後で新規に映像データを記録する方式である。映像記録装置は、映像データを格納する記録媒体と、ループレック方式により映像データを記録する記録手段と、記録媒体における映像データの記録状態を示す記録状態画像を生成する画像生成手段とを備える。記録状態画像は、所定時間毎の映像データのフレームから生成され、元の映像データの記録時刻に対応する所定の位置に配置されたサムネール画像と、現在時刻に対応する位置に配置された、先頭を示す表示とを含む。
【発明の効果】
【０００７】
本発明によれば、ループレック方式による記録中の記録状態を容易に確認することができる。また、ループレック動作において映像が削除される様子が可視化されるので、必要な映像を残すなどの作業をスムーズに行うことができる。
【発明を実施するための最良の形態】
【０００８】
以下、添付の図面を参照し、本発明の実施の形態を説明する。
【０００９】
１．映像記録装置の構成
図１に本発明の実施形態の映像記録装置の全体構成を示す。本実施形態の映像記録装置１００は、映像を撮像する撮像部１０１と、撮像した映像を記録する記録部１０２と、ループレック状態を示す画像（以下、「記録状態画像」という。）を作成する記録状態画像生成部１０６と、撮影された画像または記録状態画像等を表示する表示部１０７と、記録状態画像生成部１０６におけるサムネール画像の表示方法を設定する表示設定部１０８と、撮像された映像を格納する記録メディア１０５とにより構成される。
【００１０】
撮像部１０１は被写体からの光学情報を電気信号に変換し出力する。表示部１０７はＣＲＴやＬＣＤ等の表示装置である。表示部１０７は、データ管理部１０３または記録状態画像生成部１０６からの映像信号を受けて表示する。
【００１１】
記録部１０２は、記録メディア１０５に記録されたデータを管理するデータ管理部１０３と、撮像されたデータを記録メディア１０５に記録するファイル記録部１０４とを含む。
【００１２】
記録部１０２におけるデータ管理方法を説明する。記録部１０２において、ファイル記録部１０４は、撮像部１０１で撮像された映像を記録メディア１０５にファイル形式で記録する。データ管理部１０３は、ループ管理データを用いてループレック状態を管理する。なお、本実施形態では、１つのファイルは１分間の映像データを格納し、記録メディア１０５は、１２時間分の映像データを格納可能な容量を有する。フレームレートは３０フレーム／秒とする。また、記録開始日時を、２００７年１月１日００：００：００とする。
【００１３】
図２にループ管理データを示す。ループ管理データ２０１は、記録されているファイルの中で最初に記録されたファイル（先頭ファイル）のファイル名と、最後に記録された（すなわち、現在記録中の）ファイル（末尾ファイル）のファイル名と、記録された映像データの総フレーム数と、先頭ファイルの記録開始日時とを記録している。図２に示すループ管理データ２０１は、記録開始から４分３０秒経過した時点の例を示している。
【００１４】
また、図２には、記録メディア１０５におけるファイル構成をも示されている。本実施形態では、１ファイルに格納される映像データの時間を１分としたので、４分３０秒記録した時点では、５つのファイル（０００１．ｄａｔ〜０００５．ｄａｔ）が作成される。先頭ファイルが”０００１．ｄａｔ”、末尾ファイルが”０００５．ｄａｔ”である。ファイル名は連続した番号が付される。図２では、”０００１．ｄａｔ”のファイルから”０００５．ｄａｔ”のファイルまで順に記録されていることを示している。ループ管理データ２０１のフレーム数には、４分３０秒分のフレーム数の８，１００が、開始日時には、記録開始日時と同じ「２００７／１／１  ００：００：００」が記録されている。ファイル名は、”０００１”から始まる４桁の連番と拡張子”ｄａｔ”で構成される。
【００１５】
本実施形態の映像記録装置において、以下に説明する記録部１０２、記録状態画像生成部１０６及び表示設定部１０８の機能はハードウェアで実現されてもよいし、ＣＰＵ等が所定のプログラムを実行することにより実現されてもよい。
【００１６】
２．  映像記録装置の動作
２．１  映像データの記録処理
図３を参照し、記録部１０２における映像データの記録及びそれに伴う管理データの更新処理を説明する。なお、説明の便宜上、ループ管理データ２０１の構成が図２に示す状態にあるとする。
【００１７】
記録部１０２は撮像部１０１から１フレーム毎に画像データを取得する（Ｓ３０１）。ファイル記録部１０４は、記録メディア１０５へ１フレームデータの追加記録が可能か否かを判断する（Ｓ３０２）。具体的には、ファイル記録部１０４は、ループ管理データ２０１の「フレーム数」を参照し、記録済みのフレーム総数が、１分間のフレーム数である１，８００で割り切れるか否かで判断する。つまり、記録済みのフレーム総数が１８００で割り切れた場合、末尾ファイルへの追加記録が不可能であると判断し、剰余がある場合、末尾ファイルへの追加記録が可能であると判断する。
【００１８】
図２の例では、ループ管理データ２０１の「フレーム数」は８，１００フレームであり、１分間のフレーム数１，８００で割った剰余が０でないので、末尾ファイルである”０００５．ｄａｔ”の記録時間が１分に達していないことがわかる。このため、”０００５．ｄａｔ”ファイルへの追加記録が可能と判断する。また、図２の状態から３０秒経過した時点（５分間記録した時点）では、ループ管理データ２０１の「フレーム数」は９，０００フレームとなっており、１，８００で割った剰余は０となるので、”０００５．ｄａｔ”の記録時間が１分に達していることがわかる。よって、図２の状態から３０秒経過した時点では、末尾ファイルへの追記が不可能であると判断される。
【００１９】
ステップＳ３０２において、追加記録が可能である場合、末尾ファイルに撮像した１フレーム分のデータを追記し（Ｓ３０６）、ループ管理データ３０７を更新する（Ｓ３０７）。例えば、図２の例では、”０００５．ｄａｔ”に１フレーム分のデータを追記し、ループ管理データ２０１の「フレーム数」を８，１００から８，１０１へ更新する。
【００２０】
一方、追加記録が不可能な場合、すなわち、記録済みのフレーム総数が１８００で割り切れた場合、記録メディア１０５の残容量が十分にあるか否かを確認する（Ｓ３０３）。この確認は、記録メディア１０５において現在の記録時間が記録メディア１０５の最大記録時間（１２時間）に達しているか否かを判断することで行う。現在の記録時間が記録メディア１０５の最大記録時間（１２時間）に達していれば、「残容量なし」と判断し、達していなければ、「残容量あり」と判断する。
【００２１】
「残容量あり」と判断された場合、新規にファイルを作成し（Ｓ３０５）、その新規ファイルに１フレーム分のデータを追記し（Ｓ３０６）、ループ管理データ３０７を更新する（Ｓ３０７）。例えば、図２の状態から３０秒経過した時点（ループ管理データ２０１の「フレーム数」は９，０００）では、記録メディア１０５への追加記録が不可能であり、「残容量あり」と判断される。この場合、”０００５．ｄａｔ”のファイル名の連番部分を１つインクリメントして”０００６．ｄａｔ”というファイルを新規に作成し、”０００６．ｄａｔ”に１フレーム分のデータを追記する。そして、ループ管理データ２０１の「末尾ファイル」を０００６．ｄａｔに更新し、「フレーム数」を９，００１へ更新する。
【００２２】
一方、「残容量なし」と判断された場合、ループレック処理のために先頭ファイルが削除される（Ｓ３０４）。そして、先頭ファイルの削除により生じた空き領域に、新規ファイルを作成し（Ｓ３０５）、その新規ファイルに１フレーム分のデータを追記し（Ｓ３０６）、ループ管理データ３０７を更新する（Ｓ３０７）。
【００２３】
図４Ａは、１２時間記録をした時点のループ管理データおよび記録メディアのファイル構成を示した図である。”０００１．ｄａｔ”から”０７２０．ｄａｔ”までの７２０ファイルが存在する。ループ管理データ４０１の先頭ファイルは”０００１．ｄａｔ”であり、末尾ファイルは”０７２０．ｄａｔ”、フレーム数が１，２９６，０００、開始日時が２００７／１／１  ００：００：００である。
【００２４】
この状態で１フレーム分のデータを記録すると、ループ管理データ４０１のフレーム数１，２９６，０００フレームを１分のフレーム数１，８００で割った剰余が０であるので、ファイルへの追記が不可能と判断する（Ｓ３０２）。現在の記録時間が記録メディア１０５の最大記録時間（１２時間）と一致しているため、「残容量なし」と判断し（Ｓ３０３）、先頭ファイルである”０００１．ｄａｔ”ファイルを削除する（Ｓ３０４）。次に、末尾ファイル”０７２０．ｄａｔ”の連番部分を１つインクリメントして”０７２１．ｄａｔ”というファイルを新規に作成する（Ｓ３０５）。”０７２１．ｄａｔ”ファイルに１フレーム分のデータを追記する（Ｓ３０６）。最後に、ループ管理データ４０１を更新する（Ｓ３０７）。具体的には、ループ管理データ４０１の末尾ファイルを”０７２０．ｄａｔ”から”０７２１．ｄａｔ”に更新する。先頭ファイルを”０００１．ｄａｔ”から”０００２．ｄａｔ”に更新する。さらに、フレーム数を、１，２９６，０００から、削除した１ファイル分のフレーム数を引き、追記した１フレームを加算して算出される１，２９４，２０１（１，２９６，０００−１，８００＋１）に更新する。さらに、開始日時を、”０００２．ｄａｔ”の記録開始日時である２００７／１／１  ００：０１：００に更新する。
【００２５】
図４Ａの状態から以上の処理を行いながら１時間経過した後のループ管理データおよび記録メディアのファイル構成の状態を図４Ｂに示す。図４Ｂでは、記録開始から６０ファイルが削除されているため、ループ管理データ２０１において先頭ファイル（０００６１．ｄａｔ）の記録時刻２００７／１／１ ０１:００:００が開始日時に設定されている。
【００２６】
図５Ａ〜図５Ｃに表示部１０７で表示される記録状態画像の例を示す。これらの図に示すように、記録状態画像２０は、経過時間表示２１上に、所定時間毎の記録映像から生成されるサムネール画像２３と、その映像が撮影された時刻２５とが配置される。経過時間表示２１は、円弧状の矢印すなわち円周に沿って配置された矢印で表される。経過時間表示２１の矢印（円弧）の長さは記録開始時刻からの経過時間（または記録メディア１０５の使用量）に応じて変化する。経過時間表示２１の形状は記録メディア１０５の容量の状態を示し、弧が閉じていない状態は記録メディア１０５の容量が残っている状態を示し、弧が閉じた状態は容量が残っていない状態を示す。弧の角度は使用容量に対応し、例えば９０°であれば、全容量の２５％（９０°÷３６０°）が使用済みであることを示す。
【００２７】
矢印の先頭は時計の０時の位置から始まり、記録時間の経過とともに時計回りに進む。１周した後も、時計回りで進み続け、矢印の先頭と末尾が一致し円状を保ちながら、矢印の先頭が進むことで古い映像が消えていくことを表現している。図５Ａ〜図５Ｃに示すように、環状にサムネール画像を時系列に沿って配置し、ループレックの記録状態をより容易に視覚的に把握することが可能となる。また、最新の画像部分近傍に矢印の先頭部分を配置し、矢印の先頭部分を時間経過とともに移動させることで、時間の経過がより認識しやすくなる。
【００２８】
２．２  記録状態画像の生成処理
図７のフローチャートを参照し、記録状態画像生成部１０６による記録状態画像の生成処理を説明する。ここで、記録状態画像とは、記録メディア１０５に記録されている画像の記録状態すなわちループレック状態を示す画像であって、ループレック状態を視覚的に容易に把握できるようにするための画像である。
【００２９】
図７において、記録状態画像生成部１０６はループ管理データ２０１のフレーム数に基づき、記録開始からの経過時間を算出し、描画する経過時間表示２１（円弧）の長さ（角度）を決定する（Ｓ７０１）。次に、ループ管理データ２０１の開始日時の時刻情報に基づき、円弧上の開始位置を決定する（Ｓ７０２）。それらの決定した値に基づき経過時間表示２１を生成する（Ｓ７０３）。
【００３０】
記録状態画像生成部１０６は、記録開始から所定時間（例えば１時間）毎の画像を記録しているファイルを決定し、決定した各ファイルの先頭フレームを読み出し、そのサムネール画像２３を生成する（Ｓ７０４）。そして、生成したサムネール画像をそれぞれ円弧上の対応する位置に配置する（Ｓ７０５）。その後、記録状態画像生成部１０６は、各サムネール画像の下に、それぞれに対応する時刻情報２５を配置する（Ｓ７０６）。このようにして記録状態画像生成部１０６により生成された画像データが表示部１０７に送られ、図５Ａ〜図５Ｃのような記録状態画像２０が表示される。
【００３１】
以下、図６に示すような記録状態にあり、かつ、１時間毎にサムネール画像を表示する場合の例について上記の処理を具体的に説明する。
【００３２】
記録状態画像生成部１０６は、図６に示すループ管理データ２０１のフレーム数（３２４，０００）に基づき、３時間記録されていることを計算し、経過時間表示２１として９０°（３６０°×３時間÷１２時間）の弧を描画することを決定する（Ｓ７０１）。次に、ループ管理データ５２０１の開始日時の時刻情報（００：００：００）に基づき、弧の０時の位置から矢印を開始することを決定する（Ｓ７０２）。次に、これらの決定に基づき０°から９０°までの経過時間表示２１を生成する（Ｓ７０３）。
【００３３】
１時間毎にサムネール画像を表示するため、記録状態画像生成部１０６は、記録開始から０、１、２時間経過時点の画像を記録しているファイル（”０００１．ｄａｔ”、”００６１．ｄａｔ”、”０１２１．ｄａｔ”）をそれぞれ決定する。そして、記録状態画像生成部１０６は、決定した各ファイルの先頭フレームを読み出し、先頭フレームのサムネール画像を生成する（Ｓ７０４）。表示部１０７は、記録状態画像生成部１０６で生成されたサムネール画像２３をそれぞれ経過時間表示２１上の０時、１時、２時の位置に配置する（Ｓ７０５）。その後、表示部１０７は、各サムネール画像２３の下に、それぞれに対応する時刻情報（００：００：００、０１：００：００、０２：００：００）２５を配置する（Ｓ７０６）。これにより、図５Ａに示すような記録状態画像２０が得られる。
【００３４】
次に、ループレックが１周した状態（図４Ａに示す状態）における記録状態画像の生成処理を説明する。
【００３５】
記録状態画像生成部１０６は、図４Ａに示すループ管理データ２０１のフレーム数（１，２９６，０００）に基づき、１２時間記録していることを計算し、３６０°の弧を描画することを決定する（Ｓ７０１）。次に、ループ管理データ５２０１の開始日時の時刻情報（００：００：００）に基づき、０時の位置から矢印を開始することを決定する（Ｓ７０２）。これらの決定した値に基づき０°から一周する経過時間表示２１を生成する（Ｓ７０３）。
【００３６】
次に、記録状態画像生成部１０６は、記録開始から０、１、２、…、１１時間経過時点の画像を記録しているファイル（”０００１．ｄａｔ”、”００６１．ｄａｔ”、”０１２１．ｄａｔ”、…、”０６６１．ｄａｔ”）をそれぞれ決定し、決定した先頭フレームのサムネール画像を生成する（Ｓ７０４）。その後、経過時間表示２１の０、１、２、…、１１時の位置にサムネール画像２３を配置し（Ｓ７０５）、時刻情報（００：００：００、０１：００：００、０２：００：００、…、１１：００：００、）２５を対応する位置に配置する（Ｓ７０６）。これにより図５Ｂのような記録状態画像２０が得られる。
【００３７】
次に、ループレックが１周した後さらに１時間経過した状態（図４Ｂに示す状態）における記録状態画像の生成処理を説明する。
【００３８】
記録状態画像生成部１０６は、前述の例と同様にして、３６０°の円弧を描画することを決定する（Ｓ７０１）。そして、開始時刻情報（０１：００：００）に基づき、円弧の１時の位置から矢印を開始することを決定する（Ｓ７０２）。それらの決定した値に基づき、３０°から一周する経過時間表示２１を生成する（Ｓ７０３）。そして、１、２、３、…、１２時間経過時点の画像を記録しているファイル（”００６１．ｄａｔ”、”０１２１．ｄａｔ”、”０１８１．ｄａｔ”、…、”０７２１．ｄａｔ”）を決定し、先頭フレームのサムネール画像２３を生成する（Ｓ７０４）。その後、経過時間表示２１の１、２、３、…、１２時の位置にサムネール画像２３を配置する（Ｓ７０５）。最後に、時刻情報（０１：００：００、０２：００：００、０３：００：００、…、１２：００：００）２５を配置する（Ｓ７０６）。これにより図５Ｃのような記録状態画像２０が得られる。
【００３９】
２．２．１  時間経過を考慮した記録状態表示
表示設定部１０８は、記録状態画像２０において時間経過をより容易に認識可能とするためのサムネール画像の表示方法の設定を行う。表示設定部１０８は、時間経過に応じて変化させるべき設定の情報をユーザから受け付け、その設定情報を保持する。ここで、時間経過に応じて変化させる設定としては、サムネール画像のサイズ、解像度、輝度等の設定が含まれる。
【００４０】
記録状態画像生成部１０６は、表示設定部１０８からの設定にしたがい、新しい映像に対応するサムネール画像がより強調して表示されるようサムネール画像を生成する。
【００４１】
例えば、ユーザにより指定された設定が「サイズ」である場合、表示設定部１０８は、時間的に１つ前のサムネール画像よりサイズが小さくなるようサムネール画像を作成するように、記録状態画像生成部１０６に要求する。図４Ａの場合を例にとると、まず、０時から１１時の位置のファイルとして”０００１．ｄａｔ”、”００６１．ｄａｔ”、…、”０５４１．ｄａｔ”、”０６０１．ｄａｔ”、”０６６１．ｄａｔ”を決定し、各サムネール画像のサイズを計算する。
【００４２】
例えば、最新の画像を８０×６０画素で表示し、その後１時間ごとに１割ずつ小さくする場合、表示設定部１０８は、０６６１．ｄａｔは８０×６０画素、０６０１．ｄａｔは７２×５４画素、０５４１．ｄａｔは６５×５８画素のサイズになるように、記録状態画像生成部１０６へ指示する。これにより、図８に示すような、記録時刻が古い画像ほど徐々に小さい画像になるような表示が得られる。
【００４３】
また、ユーザにより指定された設定が「解像度」である場合、表示設定部１０７は、１つ前の画像よりサイズが小さいサムネール画像を一旦作成し、その後、得られたサムネール画像を元のサイズに伸張した画像を作成するように、記録状態画像生成部１０６に要求する。たとえば、０６０１．ｄａｔを４０×３０画素で一旦作成後、８０×６０画素に伸張する。これにより、記録時刻が古い画像ほど徐々に荒い画像になるような表示が得られる。
【００４４】
また、ユーザにより指定された設定が「輝度」である場合、表示設定部１０７は、１つ前の画像より輝度が低いサムネール画像を生成するように記録状態画像生成部１０６に要求する。例えば、画像全体の輝度の値を１時間ごとに１割ずつ下げることで、記録時刻が古い画像ほど徐々に暗い画像になる表示が得られる。なお、輝度の代わりに透過度を調整してもよく、徐々に薄い画像になる表示が得られる。
【００４５】
以上のように記録状態画像において表示するサムネール画像を、記録時刻が古いものほどその視覚特性が劣化するように段階的に変化させることで、新しい画像の認識がより容易になる。
【００４６】
３．変形例
本実施形態では、ループレックの状態の管理方法として、一定時間（１分）毎にデータを記録するファイルを分割し、ファイル単位で管理していた。しかし、図９に示すように、１つのファイルで管理し、ファイル中のデータを部分的に上書きするようにし、ファイル中の先頭アドレスと末尾アドレスでループレックの状態を管理してもよい。
【００４７】
また、本実施形態では、記録状態表示において時系列の方向を時計回りとしたが、反時計回りでも良く、また、時刻の表示にタイムコードを用いても良い。
【００４８】
また、本実施形態では、経過時間表示２１の形状を円弧状としたが、これに限らず、図１０に示すように、経過時間表示２１の形状を直線とし、その上にサムネール画像を並べても良い。例えば、１２ｃｍの描画可能な直線上に３時間経過した状態（図６）を表示する際、ステップＳ７０１では、３ｃｍ（１２ｃｍ×３時間÷１２時間）の線を描画することを決定し、ステップＳ７０２では、ループ管理データ２０１の開始時刻（００：００：００）に基づき、０ｃｍの位置から矢印を開始することを決定する。または、経過時間表示の形状を、図１１（ａ）、（ｂ）に示すような三角、四角、多角形等の環状図形状、もしくは図１１（ｃ）に示すような螺旋状としても良い。
【００４９】
また、経過時間表示２１を透明にして表示させないようにし、サムネール画像２３と時刻情報２５のみを表示させるようにしてもよい。または、経過時間表示２１において、棒状部分は透明にし、矢印部分の先端部（三角形部分）または先端部とその近傍のみを視覚的に認識できるように表示させてもよい。
【産業上の利用可能性】
【００５０】
本発明は、ループレック状態の視覚的な認識を容易にするため、ループレック方式により映像を記録媒体に記録する映像記録装置に有用である。
【図面の簡単な説明】
【００５１】
【図１】本発明の実施形態の撮影装置の構成を示す図
【図２】ループ管理データとファイル構成の一例を示す図（記録開始から４分３０秒経過時）
【図３】ファイル記録処理のフローチャート
【図４Ａ】ループ管理データとファイル構成の一例を示す図（記録開始から１２時間経過時）
【図４Ｂ】ループ管理データとファイル構成の一例を示す図（記録開始から１３時間経過時）
【図５Ａ】記録状態画像の表示例を示す図（記録開始から３時間経過時）
【図５Ｂ】記録状態画像の表示例を示す図（記録開始から１２時間経過時）
【図５Ｃ】記録状態画像の表示例を示す図（記録開始から１３時間経過時）
【図６】ループ管理データとファイル構成の一例を示す図（記録開始から３時間経過時）
【図７】記録状態画像生成処理のフローチャート
【図８】記録状態画像の表示例を示す図（経過時間に応じてサムネール画像が小さい）
【図９】映像データを１つのファイルで管理する場合のループ管理データを示す図
【図１０】直線状の経過時間表示を含む記録状態画像の表示例を示す図（サムネール画像を直線上に配置）
【図１１】経過時間表示の他の例を示す図
【符号の説明】
【００５２】
２０  記録状態画像
２１  経過時間情報
２３  サムネール画像
２５  時刻情報
１０１  撮像部
１０２  記録部
１０３  データ管理部
１０４  ファイル記録部
１０５  記録メディア
１０６  記録状態画像生成部
１０７  表示部
１０８  表示設定部
２０１  ループ管理データ
【図１】
2008306572.tif 000003
【図２】
2008306572.tif 000004
【図３】
2008306572.tif 000005
【図４Ａ】
2008306572.tif 000006
【図４Ｂ】
2008306572.tif 000007
【図５Ａ】
2008306572.tif 000008
【図５Ｂ】
2008306572.tif 000009
【図５Ｃ】
2008306572.tif 000010
【図６】
2008306572.tif 000011
【図７】
2008306572.tif 000012
【図８】
2008306572.tif 000013
【図９】
2008306572.tif 000014
【図１０】
2008306572.tif 000015
【図１１】
2008306572.tif 000016